(57)【要約】【課題】電気光学装置において迷光を少なくすることにより高品質な表示を行う。【解決手段】対向基板２０上において画像表示領域１０ａの周縁に額縁状に形成された第１の遮光膜５３と、防塵用基板１２２上に第１の遮光膜５３に対応して形成された第２の遮光膜５５とを有する液晶パネル１００と、液晶パネル１００を収容する実装ケース６００とを備えており、実装ケース６００において光入射側の表面部分が少なくとも部分的に第１の遮光膜５３及び第２の遮光膜５５よりも光の反射率の低い材料により形成される。【選択図】図１７
2010091877.tif 000002
【特許請求の範囲】
【請求項１】
電気光学物質を挟持する一対の基板と、該一対の基板の少なくとも一方の基板における前記電気光学物質に対向しない側に設けられた他の基板と、前記一対の基板の少なくとも一方の基板上に設けられ、複数の画素が配置された画素領域の周縁に額縁状に形成された第１の遮光膜と、前記他の基板上に前記第１の遮光膜に対応して額縁状に形成された第２の遮光膜とを有する電気光学パネルと、
前記画素領域に対応する窓部を有し、前記電気光学パネルを収容する実装ケースと
を備え、
前記実装ケースにおける光入射側の表面部分は、少なくとも部分的に、前記第１及び第２の遮光膜よりも光の反射率の低い材料により形成される
ことを特徴とする電気光学装置。
【請求項２】
前記第２の遮光膜は、前記他の基板上において前記第１の遮光膜よりも前記画素領域に対して少なくとも部分的に外周側に位置するように形成されることを特徴とする請求項１に記載の電気光学装置。
【請求項３】
前記実装ケースは、
前記電気光学パネルをその周縁部側から包囲する開口部を有するフレームと、
該開口部を覆うように前記フレームに対して前記光入射側に装着され、前記画素領域に対応する第１の窓部を有する第１のカバー部材と、
前記開口部を覆うように前記フレームに対して前記光入射側と反対側の光出射側に装着され、前記画素領域に対応する第２の窓部を有する第２のカバー部材と
を備え、
前記第１のカバー部材及び前記フレームのうち少なくとも一方は、前記光入射側の表面部分が少なくとも部分的に前記第１及び第２の遮光膜よりも光の反射率の低い材料により形成される
ことを特徴とする請求項１又は２に記載の電気光学装置。
【請求項４】
前記第１の窓部は、前記第１及び第２の遮光膜よりも前記画素領域に対して部分的に外周側に位置するように形成されることを特徴とする請求項３に記載の電気光学装置。
【請求項５】
前記第１のカバー部材の前記表面部分は、少なくとも部分的に、前記フレームよりも光の反射率が高くなるような材料により形成されることを特徴とする請求項３又は４に記載の電気光学装置。
【請求項６】
前記実装ケースは、前記窓部を有し、前記電気光学パネルをその周縁部側から包囲するフレームを備え、
前記フレームにおける前記光入射側の表面部分が少なくとも部分的に前記第１及び第２の遮光膜よりも光の反射率の低い材料により形成される
ことを特徴とする請求項１又は２に記載の電気光学装置。
【請求項７】
前記窓部は、前記第１及び第２の遮光膜よりも前記画素領域に対して部分的に外周側に位置するように形成されることを特徴とする請求項６に記載の電気光学装置。
【請求項８】
前記他の基板は、当該電気光学装置による表示の際に粉塵が視認されるのを防止するための防塵用基板として設けられることを特徴とする請求項１から７のいずれか一項に記載の電気光学装置。
【請求項９】
請求項１から８のいずれか一項に記載の電気光学装置を具備することを特徴とする電子機器。
【発明の詳細な説明】
【技術分野】
【０００１】
例えば液晶プロジェクタのライトバルブとして用いられ、例えば液晶パネル等の電気光学パネルが実装ケースに実装或いは収容されてなる電気光学装置、及び該電気光学装置を備えた、例えば液晶プロジェクタ等の電子機器の技術分野に関する。
【背景技術】
【０００２】
この種の電気光学装置は、液晶パネル等の電気光学パネルが実装ケースに実装或いは収容されてなり、例えば液晶プロジェクタ等のライトバルブとして用いられる。実装ケースは、例えば、フレームと板状の部材とから構成され、電気光学パネルはフレームによって額縁状にその周縁から覆われ、板状の部材に載置されて収容される。例えば特許文献１や２によれば、実装ケース内において液晶パネルに、液晶プロジェクタにおける投射光が入出射される光入射側及び光出射側の両表面に対して夫々遮光板が設けられる。
【０００３】
例えば特許文献１から３に開示されるように、実装ケースにおいてフレーム或いは板状の部材は遮光性材料により光入射側の表面部分が形成される。また、電気光学パネルには基板上に有効画面となる領域を規定する額縁状の遮光膜が、複数の画素が配置された画素領域の周縁に設けられる。例えばプロジェクタにおいて、投射光のうち有効画面外となる領域、即ち電気光学パネルの画素領域の周辺に向かって進行する光は、実装ケースの光入射側における表面部分、及び電気光学パネル内の遮光膜によって遮光される。
【０００４】
また、電気光学パネルの一例である液晶パネルでは、当該液晶パネルが液晶プロジェクタにおけるライトバルブとして用いられる場合、スクリーン上に拡大投射された像に粉塵の像が映り込まないように、ライトバルブの表面へのごみや埃等（以下、単に「粉塵」という。）の付着を防止する防塵用基板が設けられることが多い。
【０００５】
【特許文献１】特許３５８３０６２号公報
【特許文献２】特開２００２−１９６６９４号公報
【特許文献３】特開２００７−１９９２７９号公報
【発明の開示】
【発明が解決しようとする課題】
【０００６】
上述したような実装ケースにおいて特に光入射側の表面部分は、遮光性を向上させるために光の反射率の比較的高い材料により形成されることがある。この場合、実装ケースの光入射側の表面部分に入射した光が反射されると、この光入射側に電気光学装置外に配置された偏光板の支持部材等に対して反射された光が進行し、再反射されることにより画素領域に迷光となって進行する事態が生じる。よって、このような迷光が画素領域から出射する有効画面を表示する光に多量に紛れ込むことにより表示品質が劣化するおそれがある。
【０００７】
本発明は、例えば上述した問題点に鑑みなされたものであり、迷光を少なくすることにより高品質な表示を行うことが可能な電気光学装置及びこのような電気光学装置を備えてなる液晶プロジェクタ等の電子機器を提供することを課題とする。
【課題を解決するための手段】
【０００８】
本発明の電気光学装置は上記課題を解決するために、電気光学物質を挟持する一対の基板と、該一対の基板の少なくとも一方の基板における前記電気光学物質に対向しない側に設けられた他の基板と、前記一対の基板の少なくとも一方の基板上に設けられ、複数の画素が配置された画素領域の周縁に額縁状に形成された第１の遮光膜と、前記他の基板上に前記第１の遮光膜に対応して額縁状に形成された第２の遮光膜とを有する電気光学パネルと、前記画素領域に対応する窓部を有し、前記電気光学パネルを収容する実装ケースとを備え、前記実装ケースにおける光入射側の表面部分は、少なくとも部分的に、前記第１及び第２の遮光膜よりも光の反射率の低い材料により形成される。
【０００９】
本発明の電気光学装置によれば、例えば液晶パネル等の電気光学パネルが実装ケース内に収容される。一例として、電気光学パネルとして液晶パネルでは、画素領域において各画素の単位で印加される電圧レベルに応じて、一対の基板間に挟持された電気光学物質である液晶において光を変調する。このような液晶パネルを有する電気光学装置たる液晶装置を、例えば液晶プロジェクタのライトバルブとして用いる場合には、光源より投射光が供給され液晶パネルに入射され、液晶において変調された光が表示光として出射されることにより表示が行われる。
【００１０】
一対の基板の少なくとも一方の基板上には、画素領域の周縁に額縁状の第１の遮光膜が形成される。第１の遮光膜により、画素領域から出射される光により表示される有効画面の領域を規定する。また、例えば防塵用基板である他の基板上には、第１の遮光膜に対応して第２の遮光膜が額縁状のパターンで形成される。よって、例えばプロジェクタにおいて投射光は、電気光学パネルにおいて画素領域に対して入射可能となっており、画素領域外の周辺に向かって進行する光は第１及び第２の遮光膜により遮光される。
【００１１】
電気光学パネルに対して、実装ケースの窓から光がその画素領域に対して入射されるが、画素領域外に向かって進行する光は実装ケースの光入射側の表面部分においても遮光される。本発明の電気光学装置では、実装ケースにおいて光入射側の表面部分は少なくとも部分的に第１及び第２の遮光膜よりも光の反射率の低い材料により形成される。即ち、本発明の電気光学装置に対して光の入射される側に、第１及び第２の遮光膜よりもより広く面する実装ケースの光入射側の表面部分においては、少なくとも部分的に第１及び第２の遮光膜よりも光が反射され難いように形成される。よって、実装ケースの光入射側の表面部分において、画素領域外の周辺に向かって進行し表示に寄与しない光の反射を抑制することができる。従って、実装ケースの光入射側の表面部分で反射した光が、電気光学装置外においてその光入射側に配置された部材（例えば偏光板の支持部材等）により再反射されて迷光が生じるのを抑制することができる。その結果、多量の迷光が画素領域から出射される表示光に紛れ込む事態をより有効に防止することが可能となる。
【００１２】
ここに、例えばプロジェクタにおいて投射光は、画素領域の中央に向かうほど光量が多くなるようにしぼりがかけられた強力な光で投射される。即ちこの場合、電気光学装置においては、画素領域の中央に向かうほど光量が多くなるような光が入射される。よって、画素領域の縁付近では画素領域外よりも電気光学装置に入射される光の光量は多くなる。従って、実装ケースの光入射側の表面部分の反射率を低くすると、画素領域の縁付近に進行する強力な光に対する電気光学装置における遮光性能が劣化するおそれがある。
【００１３】
本発明の電気光学装置では、第１及び第２の遮光膜の光の反射率が比較的高くなるように形成することで、実装ケースの光入射側の表面部分の反射率を低くするためにその遮光性能が劣化しても、画素領域の縁付近に進行する強力な光を第１及び第２の遮光膜で反射してより確実に遮光することができる。従って、画素領域の縁付近に進行する強力な光が入射されることで電気光学パネル内の温度が顕著に上昇し、そのために電気光学装置の表示品質が劣化するのをより確実に防止することができる。
【００１４】
従って、本発明の電気光学装置では表示品質を向上させて、高品質な表示を行うことが可能となる。
【００１５】
本発明の電気光学装置の一態様では、前記第２の遮光膜は、前記他の基板上において前記第１の遮光膜よりも前記画素領域に対して少なくとも部分的に外周側に位置するように形成される。
【００１６】
この態様では、電気光学パネルにおいて第２の遮光膜は一部において第１の遮光膜に対して重なりつつ、他部において第１の遮光膜よりも画素領域に対して外周側に配置される。よって、電気光学パネルに対して画素領域外に向かって進行する光について、第１及び第２の遮光膜により、互いに重なる部分で光漏れが生じるのを防止しつつより広い領域で遮光することが可能となる。従って、画素領域の縁付近に進行する強力な光を第１及び第２の遮光膜でより確実に遮光することができる。
【００１７】
本発明の電気光学装置の他の態様では、前記実装ケースは、前記電気光学パネルをその周縁部側から包囲する開口部を有するフレームと、該開口部を覆うように前記フレームに対して前記光入射側に装着され、前記画素領域に対応する第１の窓部を有する第１のカバー部材と、前記開口部を覆うように前記フレームに対して前記光入射側と反対側の光出射側に装着され、前記画素領域に対応する第２の窓部を有する第２のカバー部材とを備え、前記第１のカバー部材及び前記フレームのうち少なくとも一方は、前記光入射側の表面部分が少なくとも部分的に前記第１及び第２の遮光膜よりも光の反射率の低い材料により形成される。
【００１８】
この態様では、フレームは、電気光学パネルを収容するための開口を規定する開口部を有する。実装ケース内において、電気光学パネルはその周縁部側からフレームの開口部に包囲され、その開口内に収容される。第１及び第２のカバー部材は夫々、開口部による開口を覆うようにフレームに対して光の入出射側の各々に装着される。第１及び第２のカバー部材では、第１及び第２の窓部により夫々、投射光等の表示に寄与する光が画素領域に入出射することが可能なように、第１及び第２の窓の各々が規定される。
【００１９】
この態様では、フレーム及び第１のカバー部材のうち少なくとも一方において、その光入射側に面する表面部分は少なくとも部分的に、第１及び第２の遮光膜よりも光の反射率の低い材料により形成される。従って、実装ケースの光入射側の表面部分において、フレーム及び第１のカバー部材のうち少なくとも一方の表面部分は少なくとも部分的に、第１及び第２の遮光膜よりも光が反射され難いように形成することができる。従って、実装ケースの光入射側の表面部分で反射する光に起因する迷光の発生を抑制することが可能となる。
【００２０】
この態様では、第１のカバー部材において光の反射率はフレームとは別個に調整することができる。従って、光の反射率を調整することで第１のカバー部材では、フレームと別個に光を反射され易く調整したり、またその逆の調整も容易に行うことができる。ここに、第１のカバー部材の光入射側の表面部分は、フレームよりもより広く面するため、フレームよりは光の反射率が高くなるように形成するのが好ましい。これにより、実装ケースにおいて光入射側の表面部分では、より広く電気光学装置の光の入射される側に面する第１のカバー部材において、画素領域外の周辺に向かって進行し表示に寄与しない光をより多く反射させることができる。
【００２１】
この、実装ケースのフレームに対して第１及び第２のカバー部材が装着される態様では、前記第１の窓部は、前記第１及び第２の遮光膜よりも前記画素領域に対して部分的に外周側に位置するように形成されるように構成してもよい。
【００２２】
このように構成すれば、第１のカバー部材の第１の窓部よりも第１及び第２の遮光膜の各々は部分的にそれよりも内側に配置される。第１の窓部の光入射側の表面部分は、上述したように第１及び第２の遮光膜よりも光の反射率の低い材料により形成されるのが好ましい。よって、このように光の反射性能が低下した第１の窓部とは重ならない第１及び第２の遮光膜の各々の部分で、画素領域の縁付近に進行する光を反射させることで、より確実に遮光することができる。また、このように画素領域の縁付近に進行する光を第１及び第２の遮光膜で反射することで、投射光等の電気光学装置外から画素領域に対して進行する光の進路に近似しつつ、光源側に逆行する方向に進行させることが可能となる。従って、画素領域の縁付近に進行する光が第１及び第２の遮光膜で反射されることに起因する迷光の発生を抑制することができる。
【００２３】
また、一方で第１の窓部を第１及び第２の遮光膜の各々と部分的に重なるように配置することで、電気光学パネルに対して画素領域外に向かって進行する光について、第１の窓部に加えて第１及び第２の遮光膜により、互いに重なる部分で光漏れが生じるのを防止しつつより広い領域で遮光することが可能となる。
【００２４】
ここに既に説明したように、画素領域の中央に向かうほど光量が多くなるようにしぼりがかけられた強力な光で投射される投射光等について、第１及び第２の遮光膜の各々の部分で、画素領域の縁付近に進行する強力な光が反射され、それよりも画素領域の外側に向かって進行し光量がより少ない光が第１の窓部で反射される。従って、電気光学パネル内の温度上昇を抑制しつつ、実装ケースにおける光の反射に起因する迷光の発生をより確実に抑制することが可能となる。
【００２５】
或いは実装ケースのフレームに対して第１及び第２のカバー部材が装着される態様では、前記第１のカバー部材の前記表面部分は、少なくとも部分的に、前記フレームよりも光の反射率が高くなるような材料により形成されるように構成してもよい。
【００２６】
このように構成すれば、既に説明したように、実装ケースにおいて光入射側の表面部分では、より広く電気光学装置の光の入射される側に面する第１のカバー部材において、画素領域外の周辺に向かって進行し表示に寄与しない光をより多く反射させることができる。従って、電気光学パネルに対してより多くの光が入射されることによる、電気光学パネル内の温度上昇をより有効に抑制することが可能となる。
【００２７】
本発明の電気光学装置の他の態様では、前記実装ケースは、前記窓部を有し、前記電気光学パネルをその周縁部側から包囲するフレームを備え、前記フレームにおける前記光入射側の表面部分が少なくとも部分的に前記第１及び第２の遮光膜よりも光の反射率の低い材料により形成される。
【００２８】
この態様では、実装ケース内において、電気光学パネルはその周縁部側からフレームに包囲されて収容される。フレームは、光を画素領域に入射することが可能な窓が窓部によって規定される。
【００２９】
この態様では、フレームにおいて光入射側の表面部分は少なくとも部分的に、第１及び第２の遮光膜よりも光の反射率の低い材料により形成される。従って、実装ケースの光入射側の表面部分において、フレームの表面部分が少なくとも部分的に第１及び第２の遮光膜よりも光が反射され難いように形成することができる。従って、実装ケースの光入射側の表面部分で反射する光に起因する迷光の発生を抑制することが可能となる。
【００３０】
この実装ケースがフレームを備える態様では、前記窓部は、前記第１及び第２の遮光膜よりも前記画素領域に対して部分的に外周側に位置するように形成されるように構成してもよい。
【００３１】
このように構成すれば、フレームの窓部よりも第１及び第２の遮光膜の各々は部分的にそれよりも内側に配置される。フレームの窓部の光入射側の表面部分は、上述したように第１及び第２の遮光膜よりも光の反射率の低い材料により形成されるのが好ましい。よって、このように光の反射性能が低下した窓部とは重ならない第１及び第２の遮光膜の各々の部分で、画素領域の縁付近に進行する光を反射させることで、このような反射による迷光の発生を抑制しつつより確実に遮光することができる。
【００３２】
また、一方でフレームの窓部を第１及び第２の遮光膜の各々と部分的に重なるように配置することで、電気光学パネルに対して画素領域外に向かって進行する光について、フレームの窓部に加えて第１及び第２の遮光膜により、互いに重なる部分で光漏れが生じるのを防止しつつより広い領域で遮光することが可能となる。
【００３３】
ここに、画素領域の中央に向かうほど光量が多くなるようにしぼりがかけられた強力な光で投射される投射光等について、第１及び第２の遮光膜の各々の部分で、画素領域の縁付近に進行する強力な光が反射され、それよりも画素領域の外側に向かって進行し光量がより少ない光がフレームの窓部で反射される。従って、電気光学パネル内の温度上昇を抑制しつつ、実装ケースにおける光の反射に起因する迷光の発生をより確実に抑制することが可能となる。
【００３４】
本発明の電気光学装置の他の態様では、前記他の基板は、当該電気光学装置による表示の際に粉塵が視認されるのを防止するための防塵用基板として設けられる。
【００３５】
この態様では、電気光学パネルにおいて他の基板を防塵用基板として設けることで、そのデフォーカス作用により、一対の基板の少なくとも一方の表面において画素領域に付着した埃や塵等の粉塵が有効画面に映りこんだとしても、ピンボケの状態で表示され、明確に視認されるのを防止することができる。従って、より確実に電気光学装置において高品質な表示を行うことが可能となる。
【００３６】
本発明の電子機器は上記課題を解決するために、上述した本発明の電気光学装置（但し、その各種態様も含む）を具備する。
【００３７】
本発明の電子機器によれば、高品質な表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置等も実現することも可能である。
【００３８】
本発明の作用及び他の利得は次に説明する実施するための最良の形態から明らかにされる。
【発明を実施するための最良の形態】
【００３９】
以下、本発明の電気光学装置に係る実施形態を図面に基づいて説明する。尚、以下の実施形態では、本発明の電気光学装置として、ＴＦＴ（Thin Film Transistor）アクティブマトリクス駆動方式の液晶装置を例に挙げる。
【００４０】
＜第１実施形態＞
本発明の第１実施形態について説明する。先ず、液晶装置をライトバルブとして適用した、電子機器の一例である液晶プロジェクタ（以下、単に「プロジェクタ」とも称する）について説明する。ここに図１は、プロジェクタの構成例を示す平面図である。
【００４１】
図１において、プロジェクタ１１００は、夫々ＲＧＢ用の液晶ライトバルブ１１００Ｒ、１１００Ｇ、１１００Ｂの３枚を用いた複板式カラープロジェクタとして構築されている。
【００４２】
図１に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６及び２枚のダイクロイックミラー１１０８によってＲＧＢの３原色に分離され、各原色に対応するライトバルブ１１１０Ｒ、１１１０Ｂ及び１１１０Ｇに入射される。
【００４３】
ライトバルブ１１１０Ｒ、１１１０Ｂ及び１１１０Ｇを構成する液晶装置は、画像信号処理回路から供給されるＲ、Ｇ、Ｂの原色信号でそれぞれ駆動されるものである（詳細は後述する）。そして、これらの液晶装置によって変調された光は、ダイクロイックプリズム１１１２に３方向から入射される。このダイクロイックプリズム１１１２においては、Ｒ及びＢの光が９０度に屈折する一方、Ｇの光が直進する。従って、各色の画像が合成される結果、投射レンズ１１１４を介して、スクリーン等にカラー画像が投写されることとなる。
【００４４】
尚、図１中には図示を省略してあるが、比較的強力な投射光によるライトバルブ１１１０Ｒ、１１１０Ｂ及び１１１０Ｇの過度の温度上昇を抑制するために、冷却風を供給する手段、例えばシロッコファン等も設けられる。
【００４５】
次に、本実施形態に係る液晶装置の全体構成について、図２から図１５を参照して説明する。尚、以下の図では、各層・各部材を図面上で認識可能な程度の大きさとするため、各図ごとに各層・各部材ごとの縮尺を異ならしめて図示されることもある。
【００４６】
先ず、図２及び図３を参照して、液晶装置に設けられた液晶パネルの構成について説明する。ここに図２は、本実施形態に係る液晶パネルの全体構成を示す平面図であり、図３は、図２のＨ−Ｈ'線での断面図である。
【００４７】
図２及び図３において、本実施形態に係る液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明に係る「画素領域」の一例としての画像表示領域１０ａの周囲に位置するシール領域に設けられたシール材５２により相互に接着されている。シール材５２は、両基板を貼り合わせるための、紫外線硬化樹脂からなり、製造プロセスにおいてＴＦＴアレイ基板１０上に塗布された後、紫外線照射により硬化させられたものである。また、シール材５２中には、ＴＦＴアレイ基板１０と対向基板２０との間隔（基板間ギャップ）を所定値とするためのグラスファイバ或いはガラスビーズ等のギャップ材（図示せず）が散布されている。
【００４８】
図２において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、画像信号が供給される画像信号端子を含む外部回路接続端子１０２がＴＦＴアレイ基板１０の一辺に沿って設けられている。この一辺に沿ったシール領域よりも内側にサンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４９】
ＴＦＴアレイ基板１０上には、外部回路接続端子１０２と、サンプリング回路７、走査線駆動回路１０４、上下導通端子１０６等とを電気的に接続するための引回配線９０が形成されている。
【００５０】
図３において、ＴＦＴアレイ基板１０上には、駆動素子である画素スイッチング用ＴＦＴや走査線、データ線等の配線が作り込まれた積層構造が形成される。この積層構造の詳細な説明については図示を省略してあるが、画像表示領域１０ａには、画素スイッチング用ＴＦＴや走査線、データ線等の配線の上層に画素電極９ａが設けられている。画素電極９ａは典型的にはＩＴＯ（Indium Tin Oxide）等の透明材料により、画素毎に所定のパターンで島状に形成される。
【００５１】
画素電極９ａ上には、配向膜（図示せず）が形成されている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成されている。対向電極２１上には配向膜（図示せず）が形成されている。また、液晶層５０は、例えば一種又は数種類のネマティック液晶を混合した液晶からなり、これら一対の配向膜間で、所定の配向状態をとる。
【００５２】
液晶パネル１００の駆動時において、画素毎に画素電極９ａには画像信号が供給され、対向電極２１との間で一定期間保持される。このようにして印加される電圧レベルにより液晶層５０を構成する液晶は、分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として画像表示領域１０ａにおいて画像信号に応じたコントラストをもつ光が出射する。尚、詳細な説明は省略するが、各画素はデータ線や走査線に画像信号等の各種信号が供給されることにより駆動され、画素電極９ａは画素スイッチング用ＴＦＴによりスイッチング制御される。
【００５３】
図３において、ＴＦＴアレイ基板１０及び対向基板２０の各々の液晶層５０に対向しない側には、例えばガラス等の透明基板を用いて構成される防塵用基板１２１及び１２２が設けられている。この防塵用基板１２１及び１２２のデフォーカス作用により、ＴＦＴアレイ基板１０及び対向基板２０の各々の外側表面、即ち、防塵用基板１２１及び１２２と貼り合わせられる接着面に付着した埃や塵は、図１を参照して説明したようなスクリーン上の表示画面にピンボケの状態で表示されることとなる。よって、スクリーン上の表示画面に、前述したような埃や塵が明確に映りこむのを防止することができる。尚、液晶パネル１００は防塵用基板１２１及び１２２のほか、図示は省略するが反射防止板等の光学要素が設けられるようにしてもよい。
【００５４】
ここでは図示しないが、ＴＦＴアレイ基板１０上には、サンプリング回路７、走査線駆動回路１０４の他に、製造途中や出荷時の当該液晶装置の品質、欠陥等を検査するための検査回路、検査用パターン等が形成されていてもよい。
【００５５】
本実施形態に係る液晶装置は、以上に説明したような液晶パネル１００が実装ケース内に収容されてなる。以下に液晶装置の構成について、図４から図１５を参照して説明する。
【００５６】
図４は液晶装置を光入射側から見た平面図であり、図５は、液晶装置を光出射側から見た平面図である。また、図６は、液晶装置において実装ケースの側面側から見た側面図であり、図７は図６に示す液晶装置を、実装ケースの主要な構成要素ごとに分解した分解側面図である。
【００５７】
液晶装置において、液晶パネル１００を収容する実装ケース６００は、フレーム６１０、第１のフック６２０及び第２のフック６３０を含む。尚、第１のフック６２０は、本発明に係る「第１のカバー部材」の一例であり、第２のフック６３０は、本発明に係る「第２のカバー部材」の一例である。フレーム６１０は、例えば、ダイキャスティング（金型鋳造）により、アルミニウム等の金属から形成されている。第１のフック６２０及び第２のフック６３０は夫々、例えば、プレス加工により、アルミニウム、ステンレス等の金属から形成されている。
【００５８】
図５から図７において、液晶パネル１００にサンプリング回路７を介して各画素に画像信号を供給するためのデータ線駆動回路や画像信号供給回路等を含む、画像信号供給に係る回路部分は好ましくは駆動用ＩＣ（Integrated Circuit）チップ３００内に内蔵される。或いは、画像信号供給に係る回路部分の一部が駆動用ＩＣチップ３００内に、それ以外の他部がＴＦＴアレイ基板１０上に内蔵されるようにしてもよい。
【００５９】
ここに、図８は、図４に示すＡ０−Ａ０'線における液晶装置の断面部分の構成を示す断面図であり、図１０は、図４に示すＢ０−Ｂ０'線における液晶装置の断面部分の構成を示す断面図である。
【００６０】
図８において、液晶パネル１００は、外部回路接続端子１０２において配線基板２００を介して駆動用ＩＣチップ３００に電気的に接続される。駆動用ＩＣチップ３００は例えばＴＡＢ（Tape Automated Bonding）技術により配線基板２００に固着される。駆動用ＩＣチップ３００は、液晶パネル１００に画像信号等を含む各種信号を供給するための各種回路が作り込まれている。即ち、図２及び図３を参照して説明した表示動作は、ＴＦＴアレイ基板１０上の走査線駆動回路１０４やサンプリング回路７に加えて駆動用ＩＣチップ３００により液晶パネル１００が駆動されることによりなされる。
【００６１】
実装ケース６００における、フレーム６１０、第１のフック６２０及び第２のフック６３０の各々の構成についてより詳細に説明する。本実施形態では、図１を参照して説明したようなプロジェクタ１１００において、第１のフック６２０の側から投射光が入射し、液晶パネル１００の画像表示領域１０ａを透過した後、第２のフック６３０の側から出射されるということを前提とする。つまり、図１でいえば、ダイクロイックプリズム１１１２に対向するのは、第１のフック６２０ではなくて、第２のフック６３０ということになる。
【００６２】
図８又は図１０に示すように、フレーム６１０を構成する部材は、液晶パネル１００を収容するためくり抜かれたような状態となっており、これによる開口を開口部６１５が規定している。フレーム６１０内に液晶パネル１００はその周縁部側から開口部６１５に包囲され、その開口内に収容される。
【００６３】
図１１は、図１０に示す液晶装置を、実装ケースの主要な構成要素ごとに分解した分解断面図である。図１０において、前述したような蓋無き箱型の如き形状を有するフレーム６１０に対して、いわば蓋として機能し得る第１のフック６２０及び第２のフック６３０が装着される。即ち、フレーム６１０における開口部６１５により規定される開口は、第１のフック６２０及び第２のフック６３０が互いに反対側から装着されることにより閉じられた状態となる。
【００６４】
第１のフック６２０は板状の部材であって、実装ケース６００内において図４、図６及び図７、或いは図１０に示すように液晶パネル１００の一面に対向して開口部６１５を覆うようにフレーム６１０に対して装着される。この状態で、液晶パネル１００は、第１のフック６２０に載置されるが如き状態でフレーム６１０内に収容される。
【００６５】
第１のフック６２０は、それを構成する部材が開口形状に形成された一部である、第１の窓６２５ｈを規定する第１の窓部６２５を有する。第１のフック６２０がフレーム６１０に装着された状態で、第１の窓部６２５は液晶パネル１００と好ましくは相互に直接に当接する。第１の窓部６２５は、液晶パネル１００の画像表示領域１０ａに対応して第１の窓６２５ｈを規定しており、図１に示すプロジェクタ１１００において照射される投射光は第１の窓６２５ｈから液晶パネル１００の画像表示領域１０ａに入射される。即ち第１の窓部６２５によって、液晶パネル１００の画像表示領域１０ａの周辺に位置する周辺領域が当接される状態となる。液晶パネル１００と第１の窓部６２５の辺縁とが相互に接触していることにより、前者から後者への熱の伝達が滞りなく行われるようになる。
【００６６】
第２のフック６３０は、図５、図６、図７或いは図１０に示すように第１のフック６２０とは反対側から、液晶パネル１００の他の面に対向して開口部６１５を覆うようにフレーム６１０に対して装着される。本実施形態では図１１において、第２のフック６３０は、フレーム６１０に対して装着されることで弾力が生じるようなばね部分６３０ａを有している。ばね部分６３０ａは、例えば金属材料等からなる第２のフック６３０の一部を曲げることにより形成され、その曲げ形状に基づく弾力性を有する。
【００６７】
図１１において、液晶装置の製造時に実装ケース６００を組み立てる際には、例えば、第１のフック６２０をフレーム６１０に対して装着した後、液晶パネル１００をフレーム６１０内に収容し開口部６１５に対してその周縁部側から接着材６４０により接着する。その後、第２のフック６３０をフレーム６１０に装着する。第２のフック６３０がフレーム６１０に対して装着されると、ばね部分６３０ａに弾力が生じ、フレーム６１０内に収容された液晶パネル１００には、第２のフック６３０が装着された側と反対側に向かって押される方向に力が加わる。従って、液晶パネル１００をばね部分６３０ａに生じる弾力により、第１のフック６２０に押し当ててフレーム６１０内に収容することが可能となる。従って、例えば既に説明したような特許文献１の構成と比較して、第１のフック６２０に対して液晶パネル１００が顕著に離間されてフレーム６１０内に収容されるのをより有効に防止することができる。
【００６８】
第２のフック６３０は、第１のフック６２０と同様に第２の窓６３５ｈを規定する第２の窓部６３５を有し、第２の窓部６３５において液晶パネル１００と好ましくは相互に当接する。図１に示すプロジェクタ１１００において、液晶パネル１００の画像表示領域１０ａを透過した投射光は、第２のフック６３０において第２の窓６３５ｈから出射される。第２のフック６３０の側においても、第１のフック６２０と同様に液晶パネル１００と第２の窓部６３５の辺縁とが相互に接触していることにより、前者から後者への熱の伝達が滞りなく行われるようになる。
【００６９】
ここに、図１２には、本実施形態に対する比較例の液晶装置について、図１０に対応する断面部分の構成を示す断面図である。尚、比較例については本実施形態と異なる構成にのみ着目して説明し、その他の構成については説明を省略する。
【００７０】
図１２に示す比較例では、液晶パネル１００の一面において周辺領域と当接する窓部７１５がフレーム６１０を構成する部材の一部により形成される。フレーム６１０に対してフック６３０が装着されることで、フレーム６１０における窓部７１５と対向する側は閉じられた状態となる。よって、比較例では図１に示すプロジェクタ１１００において照射される投射光は窓部７１５によって規定される窓７１５ｈから液晶パネル１００の画像表示領域１０ａに入射される。
【００７１】
この場合、フレーム６１０を構成する部材において窓部７１５の厚みｄ１のみを所定値まで薄くするのは製造上困難である。その結果、窓部７１５の表面と液晶パネル１００の表面との間に生じる段差も大きくなるおそれがある。
【００７２】
これに対して、本実施形態では図１０において、第１のフック６２０を構成する部材をフレーム６１０とは別個に調整することができる。例えば、液晶装置の製造時、第１のフック６２０を構成する部材に対してプレス加工を施すことにより、容易に当該部材の厚みを調整することが可能となる。これにより、容易に第１の窓部６２５の厚みｄ０も所定値まで薄くすることができる。具体的には例えば、図１２において窓部７１５の厚みｄ１が０．４〜０．７ｍｍ程度であったのを、図１０では第１の窓部６２５の厚みｄ０を０．１〜０．２ｍｍ程度まで薄くすることが可能となる。従って、実装ケース６００の厚さが大きくなるのを防止して、液晶装置を小型化し、図１に示すプロジェクタ１１００の小型化に寄与することができる。
【００７３】
尚、第１のフック６２０は例えばステンレス等の金属材料により形成することで、より容易にプレス加工を施すことができ、更にはフレーム６１０の開口部６１５の表面より反射率を高くすることも可能となる。これにより、第１のフック６２０に液晶パネル１００の周辺領域に向かって進行する光を反射して、液晶装置の顕著な温度上昇を抑制することができる。
【００７４】
ここに、図９は、図８に示す断面部分において、例えばプロジェクタ内で供給される冷却風の流れについて説明するための説明図である。図９において、冷却風の液晶装置に対する流れの一例を点線矢印により概略的に示してある。従って、実際の冷却風の流れは図９に示す点線矢印とは詳細には異なる場合もある。既に説明したように、プロジェクタ１１００内においてシロッコファン等の手段によりライトバルブ１１００Ｒ、１１００Ｇ、又は１１００Ｂを構成する液晶装置に対して冷却風が供給される。この冷却風は、概略的に実装ケース６００の表面を図９中の点線矢印に沿って流れる。
【００７５】
本実施形態では、図１０において、第１のフック６２０の第１の窓部６２５を所定値まで薄くすることで、第１の窓部６２５の厚みｄ０に起因してその表面と液晶パネル１００の表面との間の段差が大きくなるのをより容易に防止することができる。加えて、実装ケース６００内において、第１のフック６２０と液晶パネル１００との間が離間することで、第１の窓部６２５の表面と液晶パネル１００との間の段差が大きくなるのをより確実に防止することができる。従って、図９において、第１のフック６２０の側で、第１の窓６２５ｈから液晶パネル１００の表面への流れ込みを効率良く行うことが可能となる。また、液晶パネル１００を第１のフック６２０により確実に接触させることで、液晶パネル１００から第１のフック６２０への熱伝導をより効率良く行うことも可能となる。更に、第１のフック６２０で、第１の窓部６２５及び液晶パネル１００間の段差に起因して、第１の窓部６２５の縁に埃や塵等が溜まるのをより有効に防止することもできる。
【００７６】
本実施形態では、図１０を参照して説明したように、第１の窓部６２５の厚みｄ０を容易に所定値とするために、第１のフック６２０を構成する部材の厚みを薄くしたり、またプレス加工を施しやすい材料により形成することで、第１のフック６２０における強度が小さくなるおそれがある。その結果、第１のフック６２０に比較的強い力が加わることにより、第１のフック６２０の歪みや、実装ケース６００内に収容された液晶パネル１００に第１のフック６２０を介して力が加わることによる破損等の弊害が生じ得る。このような弊害を防止するために、本実施形態の実装ケース６００の各部は好ましくは以下のような特徴的な構成を有する。
【００７７】
図４において、フレーム６１０においては突起部６１３が、フレーム６１０の取り付け穴６１６に対応する４箇所に対して設けられる。尚、取り付け穴６１６はフレーム６１０を構成する部材により規定されており、図１に示すプロジェクタ１１００内に液晶装置をライトバルブ１１００Ｒ、１１００Ｇ又は１１００Ｂとして取り付ける際に利用される。
【００７８】
図４、図６又は図７に示すように、突起部６１３は第１のフック６２０が装着される側に設けられ、図６によく示されるように第１のフック６２０の表面から突出するような高さで形成される。実装ケース６００において、フレーム６１０に第１のフック６２０が装着された状態で、第１のフック６２０の側を設置面とする場合（即ち図６中、突起部６１３が設けられた側を上側にして実装ケース６００を設置する構成を示してあるが、これと反対側に、突起部６１３が設けられた側を下側にして実装ケース６００を設置する場合）、第１のフック６２０の表面より突出する突起部６１３により当該設置により生じる力を受けることができる。従って、このような設置により第１のフック６２０、及び第１のフック６２０を介してフレーム６１０内に収容された液晶パネル１００に比較的強い力が加わることにより、破損等が生じる事態を回避することが可能となる。
【００７９】
或いは、図１１を参照して説明したように液晶装置の製造時に実装ケース６００を組み立てる場合、フレーム６１０に第１のフック６２０が装着された状態で、第１のフック６２０の側を設置面として（即ち図６中、突起部６１３が設けられた側を下側にして設置する場合）、液晶パネル１００を実装し且つ第２のフック６３０をフレーム６１０に装着させる各工程を行う場合においても、各工程で、上述のように突起部６１３で力を受けることにより第１のフック６２０に加わる力を緩和することができる。その結果、製造プロセスの歩留まりを向上させることが可能となる。
【００８０】
本実施形態では、図４において４箇所に配置された突起部６１３は夫々、放熱用のフィン及び導風板の少なくとも一方を兼ねるように形成されてもよい。或いは、図４に示す構成に限定されず、例えば４箇所のうち３箇所に突起部６１３を設け、そのうち１箇所には放熱用のフィン或いは導風板を設けるようにしてもよい。突起部６１３が放熱用のフィン及び導風板の少なくとも一方を兼ねるように構成すれば、突起部６１３と放熱用のフィン及び導風板とを夫々別個に設ける場合と比較して、これらに要するフレーム６１０における配置面積を小さくして、フレーム６１０を容易に小型化することが可能となる。従って、実装ケース６００も小型化することが可能となり、液晶装置の小型化に寄与することができる。尚、放熱用のフィンを設けることにより、図９においてフレーム６１０の冷却風と接触する表面の面積が増加すると共に冷却風を効率良く流すことが可能となる。また、導風板を設ける場合には、図９の冷却風の流れにおける風上側、即ち同図中では右から左へ冷却風が流れるようすを示してあるが、この場合には右側に対して設けることで、第１の窓６２５ｈから液晶パネル１００の表面に対して効率良く冷却風が流れ込むようにすることができる。従って、放熱用のフィンや導風板を設けることでフレーム６１０からの放熱を効率良く行うことができる。
【００８１】
ここに、図４、図６、図８等に示すようにフレーム６１０において、第１のフック６２０が装着される側に、それを構成する部材の一部が配線基板２００に沿って延在されてなる放熱部６１１が設けられている。図６又は図８において、放熱部６１１は配線基板２００上の駆動用ＩＣチップ３００からの熱の伝導が可能なように設けられている。その結果、駆動用ＩＣチップ３００からの熱を放熱部６１１において、効率良く液晶装置外に放散させることが可能となる。
【００８２】
図４、図６、或いは図８に示すように第１のフック６２０は、それを構成する部材の縁部が折り曲げられてなる折り曲げ部６２１を有している。ここに、図１３は、図４における点線Ａ１で囲まれた部分を拡大して示す拡大概略図であり、図１５は、図８における点線Ａ２で囲まれた部分を拡大して示す拡大概略図である。図１５によく示されるように、折り曲げ部６２１は、第１のフック６２０がフレーム６１０に装着された状態で当接する開口部６１５の表面形状に沿うように折り曲げられている。よって、第１のフック６２０と開口部６１５の壁部分とを隙間無く合わせることができる。従って、このような隙間が生じるために、第１のフック６２０に対して液晶パネル１００が離間するのを防止することが可能となる。よって、第１のフック６２０の第１の窓部６２５の表面と液晶パネル１００との間の段差が大きくなるのを防止して、第１の窓６２５ｈから液晶パネル１００への冷却風の流れ込みを効率良くすることができる。
【００８３】
また、第１のフック６２０の部材の厚みを、第１の窓部６２５の厚みを調整するために薄くした結果、強度が劣化した場合に、実装ケース６００内で第２のフック６３０からの弾力により液晶パネル１００が押し当てられて、第１のフック６２０に対して力が加わり、第１のフック６２０に歪みが生じるおそれがある。折り曲げ部６２１によって第１のフック６２０をフレーム６１０の開口部６１５の壁部分に隙間無く合わせてフレーム６１０に対して押さえて装着することで、加わった力により第１のフック６２０に歪みが生じるのをより有効に防止することができる。
【００８４】
図４又は図１３において、折り曲げ部６２１は、これを部分的に切り欠いて形成された凹部６２２を有する。ここに、図１４は、第１のフックが順送型の製造装置を用いて製造されることについて説明するための説明図である。図１４に示すように、順送型の製造装置を用いて第１のフック６２０を量産する場合に、折り曲げ部６２１の一部に凹部６２２を設けることにより、多数の第１のフック６２０を凹部６２２において相互に繋げて連続させ、容易に製造することが可能となる。
【００８５】
図４又は図１３において、フレーム６１０には凹部６２２に対応して突起部６１３が設けられる。第１のフック６２０において折り曲げ部６２１が欠けた凹部６２２で、例えば第２のフック６３０からの弾力により液晶パネル１００が押し当てられるために加わる力に対して強度が劣化するおそれがある。凹部６２２に対応させて突起部６１３を配置することで、凹部６２２における強度を補強することができる。従って、第２のフック６３０からの弾力により液晶パネル１００が押し当てられて加わる力により、凹部６２２において第１のフック６２０の歪みが生じるのを防止することができる。また、図１３に示すように凹部６２２の中にまで入り込んで突起部６１３を形成することができるので、その配置面積をより大きく確保することが可能である。尚、フレーム６１０において、上述したような凹部６２２に対する補強を行うための部材を突起部６１３と別個に設ける場合と比較して、これらに要するフレーム６１０における配置面積を小さくして、フレーム６１０を容易に小型化することが可能となる。凹部６２２に対する補強を行う構成として、凹部６２２に対応させて突起部６１３に代えて若しくは加えて、導風板又は放熱用のフィンが配置されるようにしてもよい。
【００８６】
図４又は図１３において、第１のフック６２０には折り曲げ部６２１に沿って溝部６２３が形成される。図１５において、溝部６２３は、典型的にはハーフパンチ加工により第１のフック６２０の部材の厚みの半分程度を抜くことにより形成される。よって、溝部６２３の底部は第１のフック６２０における、フレーム６１０の開口部６１５と対向する側の表面から突出するように形成される。従って、溝部６２３を開口部６１５の縁に合わせて配置し、これに沿う折り曲げ部６２１のストッパーとして機能させることが可能となる。よって、折り曲げ部６２１とフレームの開口部６１５とで位置ずれが生じるのを防止して、より確実に第１のフック６２０と開口部６１５の壁部分とを隙間無く合わせることができる。従って、より確実に、第２のフック６３０からの弾力により液晶パネル１００が押し当てられて加わる力により、第１のフック６２０に歪みが生じるのを防止することができる。
【００８７】
図６、図７、図１０及び図１１を参照して、第１のフック６２０をフレーム６１０に装着させるための構成について説明する。図６又は図７において、第１のフック６２０は、それを構成する部材の一部を、図１０又は図１１に示すようにフレーム６１０の側面側に折り曲げてなる装着部６２８を有すると共に、フレーム６１０は爪部６１９を有する。第１のフック６２０は、装着部６２８を爪部６１９に掛けることによりフレーム６１０に対して装着される。装着部６２８がフレーム６１０の側面においてその壁部分に接触することにより、第１のフック６２０からフレーム６１０への熱伝導が可能となっている。尚、第２のフック６３０も好ましくは、第１のフック６２０と同様に爪部６１９においてフレーム６１０に対して装着される。
【００８８】
第１のフック６２０において、フレームに６１０装着された状態では爪部６１９に掛けられた装着部６２８により引っ張られるような力が生じ、歪みが生じるおそれがある。装着部６２８は引っ掛け部６２６を有し、フレーム６１０の爪部６１９が設けられた壁部分には、引っ掛け部６２６に対応する止め部６１７が形成されている。引っ掛け部６２６は、装着部６２８が爪部６１９に装着された状態で、装着部６２８が爪部６１９により引っ張られる力により止め部６１７に引っ掛かって止められる。これにより、引っ掛け部６２６により装着部６２８が引っ張られる力を緩和することが可能となる。従って、装着部６２８が爪部６１９に装着されることで第１のフック６２０に歪みが生じるのを防止することができる。
【００８９】
次に、図１６及び図１７を参照して、本実施形態において特徴的な実装ケースの入射側表面部分に係る構成について説明する。図１６は、図４において第１及び第２の遮光膜と、第１の窓部との配置関係を示す平面図であり、図１７は、図１０に示す断面部分について、液晶装置における光の反射の概要を説明するための断面図である。尚、図１７では図１０における接着材６４０については図示を省略してある。
【００９０】
図２又は図３を参照して説明したように、液晶パネル１００において額縁遮光膜５３が、本発明に係る「第１の遮光膜」の一例として画像表示領域１０ａの周縁に設けられる。尚、額縁遮光膜５３は図３を参照して説明したように対向基板２０側に設けられる構成に限定されず、一部又は全部がＴＦＴアレイ基板１０側に内蔵遮光膜として設けられてもよい。以下では、額縁遮光膜５３を「第１の遮光膜」として説明する。図１においてプロジェクタ１１００によってスクリーン等に表示される有効画面の領域は、第１の遮光膜５３によって規定される。
【００９１】
図１６又は図１７において、対向基板２０の側に配置された、本発明に係る「他の基板」の一例としての防塵用基板１２２には、第１の遮光膜５３に対応して額縁状のパターンで第２の遮光膜５５が形成される。尚、第２の遮光膜５５は、液晶パネル１００を、例えば図１７に示す構成とは反対側即ちＴＦＴアレイ基板１０の側を光入射側に配置する場合には、ＴＦＴアレイ基板１０の側に配置された防塵用基板１２１（図３参照）に設けるようにしてもよい。
【００９２】
ここに、図１７において点線矢印は図１に示すプロジェクタ１１００の投射光について、液晶装置に対する進路の一例を概略的に示している。図１に示すプロジェクタ１１００における投射光のうち、液晶パネル１００の画像表示領域１０ａ外の周辺領域に向かって進行する光は、第１の遮光膜５５及び第２の遮光膜５３により反射されて遮光される。また、液晶パネル１００の画像表示領域１０ａ外の周辺領域に向かって進行する光は、実装ケース６００の光入射側において、第１のフック６２０及びフレーム６１０の表面部分においても反射されて遮光される。
【００９３】
本実施形態では、フレーム６１０及び第１のフック６２０のうち少なくとも一方において、その光入射側に面する表面部分は少なくとも部分的に、第１の遮光膜５３及び第２の遮光膜５５よりも光の反射率の低い材料により形成される。例えば、第１の遮光膜５３及び第２の遮光膜５５は夫々、クロム（Ｃｒ）により光の反射率が５０〜６０％程度となるように形成されるか、或いはアルミニウム（Ａｌ）により光の反射率が８５％以上となるように形成される。これに対して、第１のフック６２０はステンレスにより、光入射側の表面部分が少なくとも部分的に光の反射率が３０〜５０％程度となるように形成される。第１のフック６２０に加えて若しくは代えてフレーム６１０は例えば、アルミニウム（Ａｌ）又はマグネシウム（Ｍｇ）により形成され、且つ防錆処理等が施されることにより、光入射側に面する表面部分が少なくとも部分的に、光の反射率が２０％以下となるように形成される。
【００９４】
従って、実装ケース６００の光入射側の表面部分において、フレーム６１０及び第１のフック６２０のうち少なくとも一方の表面部分は少なくとも部分的に、第１の遮光膜５３及び第２の遮光膜５５よりも光が反射され難いように形成することができる。よって、実装ケース６００の光入射側の表面部分において、画像表示領域１０ａ外の周辺に向かって進行し表示に寄与しない光の反射を抑制することができる。従って、図１７中の点線矢印で示されるように、実装ケース６００の光入射側において例えば第１のフック６２０の表面部分で反射した光が、液晶装置外においてその光入射側に配置された部材、例えば同図中の偏光板等の光学部材やその支持部材２００２により再反射されて迷光が生じるのを抑制することができる。その結果、多量の迷光が画像表示領域１０ａから出射される表示光に紛れ込む事態をより有効に防止することが可能となる。
【００９５】
図１に示すプロジェクタ１１００において投射光は、液晶装置に対して画像表示領域１０ａの中央に向かうほど光量が多くなるようにしぼりがかけられた強力な光で投射される。即ちこの場合、液晶装置においては、画像表示領域１０ａの中央に向かうほど光量が多くなるような光が入射される。よって、画像表示領域１０ａの縁付近では画像表示領域１０ａ外よりも液晶装置に入射される光の光量は多くなる。従って、上述したように実装ケース６００の光入射側で、フレーム６１０や第１のフック６２０の表面部分の反射率を低くすると、画像表示領域１０ａの縁付近に進行する強力な光に対する液晶装置における遮光性能が劣化するおそれがある。
【００９６】
本実施形態では、第１の遮光膜５３及び第２の遮光膜５５の光の反射率が比較的高くなるように形成することで、実装ケース６００の光入射側の表面部分の反射率を低くするためにその遮光性能が劣化しても、画像表示領域１０ａの縁付近に進行する強力な光を第１の遮光膜５３及び第２の遮光膜５５で反射してより確実に遮光することができる。従って、画像表示領域１０ａの縁付近に進行する強力な光が入射されることで液晶パネル１００内の温度が顕著に上昇し、そのために液晶装置の表示品質が劣化するのをより確実に防止することができる。
【００９７】
図１６によく示されるように、第２の遮光膜５５は、防塵用基板１２２上において第１の遮光膜５３よりも画像表示領域１０ａに対して部分的に外周側に位置するように形成される。図１７において第２の遮光膜５５は、一部において第１の遮光膜５３に対して重なりつつ、他部において第１の遮光膜５３よりも画像表示領域１０ａに対して外周側に配置される。よって、液晶パネル１００に対して画像表示領域１０ａ外に向かって進行する光について、第１の遮光膜５３及び第２の遮光膜５５により、互いに重なる部分で光漏れが生じるのを防止しつつより広い領域で遮光することが可能となる。従って、画像表示領域１０ａの縁付近に進行する強力な光を第１の遮光膜５３及び第２の遮光膜５５でより確実に遮光することができる。
【００９８】
また、図１６において第１のフック６２０の第１の窓部６２５は、第１の遮光膜５３及び第２の遮光膜５５よりも画像表示領域１０ａに対して部分的に外周側に位置するように形成される。言い換えれば、第１の窓部６２５よりも第１の遮光膜５３及び第２の遮光膜５５の各々は部分的にそれよりも内側に配置される。第１の窓部６２５の光入射側の表面部分は、上述したように第１の遮光膜５３及び第２の遮光膜５５よりも光の反射率の低い材料により形成されるのが好ましい。よって、このように光の反射性能が低下した第１の窓部６２５とは重ならない第１の遮光膜５３及び第２の遮光膜５５の各々の部分で、画像表示領域１０ａの縁付近に進行する光を反射させることで、より確実に遮光することができる。
【００９９】
図１７において点線矢印で示されるように、このように画像表示領域１０ａの縁付近に進行する光を第１の遮光膜５３及び第２の遮光膜５５で反射することで、投射光等の液晶装置外から画像表示領域１０ａに対して進行する光の進路に近似しつつ、光源側に逆行する方向に進行させることが可能となる。従って、画像表示領域１０ａの縁付近に進行する光が第１の遮光膜５３及び第２の遮光膜５５で反射されることに起因する迷光の発生を抑制することができる。
【０１００】
また、一方で図１７において、第１の窓部６２５を第１の遮光膜５３及び第２の遮光膜５５の各々と部分的に重なるように配置することで、液晶パネル１００に対して画像表示領域１０ａ外に向かって進行する光について、第１の窓部６２５に加えて第１の遮光膜５３及び第２の遮光膜５５により、互いに重なる部分で光漏れが生じるのを防止しつつより広い領域で遮光することが可能となる。
【０１０１】
ここに既に説明したように、画像表示領域１０ａの中央に向かうほど光量が多くなるようにしぼりがかけられた強力な光で投射される投射光等について、第１の遮光膜５３及び第２の遮光膜５５の各々の部分で、画像表示領域１０ａの縁付近に進行する強力な光が反射され、それよりも画像表示領域１０ａの外側に向かって進行し光量がより少ない光が第１の窓部６２５で反射される。従って、液晶パネル１００内の温度上昇を抑制しつつ、実装ケース６００における光の反射に起因する迷光の発生をより確実に抑制することが可能となる。
【０１０２】
本実施形態では、第１のフック６２０において光の反射率はフレーム６１０とは別個に調整することができる。従って、光の反射率を調整することで第１のフック６２０では、フレーム６１０と別個に光を反射され易く調整したり、またその逆の調整も容易に行うことができる。第１のフック６２０の光入射側の表面部分は、フレーム６１０よりもより広く面するため、少なくとも部分的にフレーム６１０よりは光の反射率が高くなるように形成するのが好ましい。例えば、既に説明したように、第１のフック６２０は光入射側の表面部分が少なくとも部分的に光の反射率が３０〜５０％程度となるように形成され、フレーム６１０は光入射側に面する表面部分が少なくとも部分的に、光の反射率が２０％以下となるように形成される。これにより、実装ケース６００において光入射側の表面部分では、より広く液晶装置の光の入射される側に面する第１のフック６２０において、画像表示領域１０ａ外の周辺に向かって進行し表示に寄与しない光をより多く反射させることができる。従って、液晶パネル１００に対してより多くの光が入射されることによる、液晶パネル１００内の温度上昇をより有効に抑制することが可能となる。
【０１０３】
従って、以上説明したような本実施形態では、液晶装置における冷却効率をより確実に向上させつつ、高品質な表示を行うことが可能となる。
【０１０４】
＜第２実施形態＞
次に、本発明の電気光学装置に係る第２実施形態について説明する。第２実施形態については、第１実施形態と異なる点についてのみ、図１８を参照して説明する。図１８は、図１７に対応する断面部分について、第２実施形態の液晶装置における光の反射の概要をその構成と併せて説明するための断面図である。尚、図１８においては図１７と同様に、点線矢印によって図１に示すプロジェクタ１１００の投射光について、液晶装置に対する進路の一例を概略的に示している。
【０１０５】
第２実施形態に係る液晶装置は、既に図１２を参照して説明した比較例と同様の構成を有しており、液晶パネル１００の一面において周辺領域と当接する窓部７１５がフレーム６１０を構成する部材の一部により形成され、フレーム６１０に対してフック６３０が装着される。また、窓部７１５によって規定される窓７１５ｈから液晶パネル１００の画像表示領域１０ａに光が入射可能となっている。
【０１０６】
図１８中の点線矢印により示されるように、図１に示すプロジェクタ１１００における投射光のうち、液晶パネル１００の画像表示領域１０ａ外の周辺領域に向かって進行する光は、第１の遮光膜５５及び第２の遮光膜５３により反射されると共に、実装ケース６００の光入射側においてフレーム６１０の表面部分においても反射されて遮光される。
【０１０７】
フレーム６１０において、光入射側の表面部分は少なくとも部分的に第１の遮光膜５３及び第２の遮光膜５５よりも光の反射率の低い材料により形成される。例えば、第１の遮光膜５３及び第２の遮光膜５５は夫々光の反射率が４０％以上となるように形成され、フレーム６１０の光入射側の表面部分は少なくとも部分的に光の反射率が３０％以下となるように形成される。従って、実装ケース６００の光入射側の表面部分において、フレーム６１０の表面部分が少なくとも部分的に第１の遮光膜５３及び第２の遮光膜５５よりも光が反射され難いように形成することができる。従って、第２実施形態においても第１実施形態と同様に、実装ケース６００の光入射側の表面部分で反射する光に起因する迷光の発生を抑制することが可能となる。
【０１０８】
また、フレーム６１０の窓部７１５は、第１の遮光膜５３及び第２の遮光膜５５よりも画像表示領域１０ａに対して部分的に外周側に位置するように形成される。言い換えれば、窓部７１５よりも第１の遮光膜５３及び第２の遮光膜５５の各々は部分的にそれよりも内側に配置される。窓部７１５の光入射側の表面部分は、上述したように第１の遮光膜５３及び第２の遮光膜５５よりも光の反射率の低い材料により形成されるのが好ましい。よって、このように光の反射性能が低下した窓部７１５とは重ならない第１の遮光膜５３及び第２の遮光膜５５の各々の部分で、画像表示領域１０ａの縁付近に進行する光を反射させることで、このような反射による迷光の発生を抑制しつつより確実に遮光することができる。
【０１０９】
また、一方で窓部７１５を第１の遮光膜５３及び第２の遮光膜５５の各々と部分的に重なるように配置することで、液晶パネル１００に対して画像表示領域１０ａ外に向かって進行する光について、窓部７１５に加えて第１の遮光膜５３及び第２の遮光膜５５により、互いに重なる部分で光漏れが生じるのを防止しつつより広い領域で遮光することが可能となる。
【０１１０】
ここに、画像表示領域１０ａの中央に向かうほど光量が多くなるようにしぼりがかけられた強力な光で投射される投射光等について、第１の遮光膜５３及び第２の遮光膜５５の各々の部分で、画像表示領域１０ａの縁付近に進行する強力な光が反射され、それよりも画像表示領域１０ａの外側に向かって進行し光量がより少ない光が窓部７１５で反射される。従って、液晶パネル１００内の温度上昇を抑制しつつ、実装ケース６００における光の反射に起因する迷光の発生をより確実に抑制することが可能となる。
【０１１１】
従って、以上説明したような第２実施形態では、第１実施形態と同様の効果を得ることが可能となる。
【０１１２】
本発明は上述の実施形態で説明した液晶装置以外にも、シリコン基板上に素子を形成する反射型液晶装置（ＬＣＯＳ）、プラズマディスプレイ（ＰＤＰ）、電解放出型ディスプレイ（ＦＥＤ、ＳＥＤ）、有機ＥＬディスプレイ、デジタルマイクロミラーデバイス（ＤＭＤ）、電気泳動装置等にも適用可能である。
【０１１３】
本発明は、上述した実施形態に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【０１１４】
【図１】液晶装置を適用した電子機器の一例たるプロジェクタの構成を示す平面図である。
【図２】液晶装置の全体構成を示す平面図である。
【図３】図１のＨ−Ｈ'線での断面図である。
【図４】液晶装置を光入射側から見た平面図である。
【図５】液晶装置を光出射側から見た平面図である。
【図６】液晶装置において実装ケースの側面側から見た側面図である。
【図７】図６に示す液晶装置を、実装ケースの主要な構成要素ごとに分解した分解側面図である。
【図８】図４に示すＡ０−Ａ０'線における液晶装置の断面部分の構成を示す断面図である。
【図９】図８に示す断面部分において、例えばプロジェクタ内で供給される冷却風の流れについて説明するための説明図である。
【図１０】図４に示すＢ０−Ｂ０'線における液晶装置の断面部分の構成を示す断面図である。
【図１１】図１０に示す液晶装置を、実装ケースの主要な構成要素ごとに分解した分解断面図である。
【図１２】本実施形態に対する比較例の液晶装置について、図１０に対応する断面部分の構成を示す断面図である。
【図１３】図４における点線Ａ１で囲まれた部分を拡大して示す拡大概略図である。
【図１４】第１のフックが順送型の製造装置を用いて製造されることについて説明するための説明図である。
【図１５】図８における点線Ａ２で囲まれた部分を拡大して示す拡大概略図である。
【図１６】図４において第１及び第２の遮光膜と、第１の窓部との配置関係を示す平面図である。
【図１７】図１０に示す断面部分について、液晶装置における光の反射の概要を説明するための断面図である。
【図１８】図１７に対応する断面部分について、第２実施形態の液晶装置における光の反射の概要をその構成と併せて説明するための断面図である。
【符号の説明】
【０１１５】
１０ａ…画像表示領域、２０…対向基板、５３…額縁遮光膜（第１の遮光膜）、５５…第２の遮光膜、１００…液晶パネル、１２１、１２２…防塵用基板、６００…実装ケース、６１０…フレーム、６１５…開口部、６２０…第１のフック、６２５ｈ…第１の窓、６３０…第２のフック、６３５ｈ…第２の窓、６３０ａ…ばね部分、６２５…第１の窓部、６３５…第２の窓部、７１５…窓部、７１５ｈ…窓
【図１】
2010091877.tif 000003
【図２】
2010091877.tif 000004
【図３】
2010091877.tif 000005
【図４】
2010091877.tif 000006
【図５】
2010091877.tif 000007
【図６】
2010091877.tif 000008
【図７】
2010091877.tif 000009
【図８】
2010091877.tif 000010
【図９】
2010091877.tif 000011
【図１０】
2010091877.tif 000012
【図１１】
2010091877.tif 000013
【図１２】
2010091877.tif 000014
【図１３】
2010091877.tif 000015
【図１４】
2010091877.tif 000016
【図１５】
2010091877.tif 000017
【図１６】
2010091877.tif 000018
【図１７】
2010091877.tif 000019
【図１８】
2010091877.tif 000020